(57)【特許請求の範囲】
【請求項１】
複数の電線の端部に接続したソケットコンタクトが並列して収容される扁平なソケットハウジングを有するソケットコネクタと、プリント配線板に表面実装され前記ソケットコネクタが嵌合接続する扁平な箱形状のベースハウジングを有するベースコネクタとからなり、
前記ソケットハウジングの両側面に沿って該ソケットハウジングの後端から該ソケットハウジングの前方まで長く延びる一対のロックアームが、弾性変形可能な支持片を介して前記ソケットハウジングの両側面に一体に設けられ、
前記ロックアームの先端部分に内向きのフックが設けられ、前記支持片より後方へ延びる前記ロックアームの後端部分に押圧操作部が形成されており、
嵌合接続時に、前記ロックアームが前記ベースハウジングの両側面に沿って案内係合しながら、前記ソケットコネクタと前記ベースコネクタとが嵌合接続し、前記フックが前記ベースハウジングの後端縁に係止するように構成されていることを特徴とするコネクタのロック装置。
【請求項２】
嵌合接続時に、前記ロックアームの先端部分が前記ベースハウジングの後壁面より後方へ長く延び、該延長部により前記ベースハウジングの後壁面から突出するピンコンタクトのリード部の側方を保護するように構成されていることを特徴とする請求項１記載のコネクタのロック装置。
【請求項３】
前記ロックアームが、前記ベースハウジングの高さと略等しい高さを有し、前記延長部まで延びていることを特徴とする請求項２記載のコネクタのロック装置。
【請求項４】
前記ロックアームの後端部分が前記ソケットハウジングの後壁面より後方へ延び、該延長部分に形成された前記押圧操作部により前記電線の側方を保護するように構成されていることを特徴とする請求項１、２又は３記載のコネクタのロック装置。
【発明の詳細な説明】
【０００１】
【発明の属する技術分野】
本発明は、プリント配線板に表面実装されるベースコネクタと、該コネクタに挿脱自在に嵌合接続する複数の電線を接続したソケットコンタクトとのロック装置に関する。
【０００２】
【従来の技術】
この種コネクタのロック装置として、ソケットハウジングの両側面にロックアームが設けられ、該ロックアームの先端部に設けたフックをベースハウジングの両側面に突設した係止突部に係合してロックし、前記ロックアームの後端に設けた押圧操作部を押圧して前記フックを前記係止突部から離脱させてロック解除するように構成したロック装置は、例えば米国特許第４，００８，９４１号及び米国特許第４，３７６，５６５号明細書及び図面に開示されている。
【０００３】
【発明が解決しようとする課題】
しかし、上記従来のロック装置は、プリント配線板に表面実装されるベースハウジングの両側面に係止突部を突設しているため、全体の横方向寸法が大きくなり、小型化に適しない。
【０００４】
本発明は、上記従来の問題点に鑑み、表面実装の高密度化に効果を発揮する小型化と、嵌合操作の安定化及び確実なロックが可能で、特に低背型の高電圧用コネクタに適したコネクタのロック装置を提供することを目的とする。
【０００５】
【課題を解決するための手段】
上記目的を達成するために、本発明は、複数の電線の端部に接続したソケットコンタクトが並列して収容される扁平なソケットハウジングを有するソケットコネクタと、プリント配線板に表面実装され前記ソケットコネクタが嵌合接続する扁平な箱形状のベースハウジングを有するベースコネクタとからなり、前記ソケットハウジングの両側面に沿って該ソケットハウジングの後端から該ソケットハウジングの前方まで長く延びる一対のロックアームが、弾性変形可能な支持片を介して前記ソケットハウジングの両側面に一体に設けられ、前記ロックアームの先端部分に内向きのフックが設けられ、前記支持片より後方へ延びる前記ロックアームの後端部分に押圧操作部が形成されており、嵌合接続時に、前記ロックアームが前記ベースハウジングの両側面に沿って案内係合しながら、前記ソケットコネクタと前記ベースコネクタとが嵌合接続し、前記フックが前記ベースハウジングの後端縁に係止するように構成されていることを特徴とする。
【０００６】
上記構成を有する本発明のロック装置を表面実装タイプの高電圧用コネクタに適用する場合において、嵌合接続時に、前記ロックアームの先端部分がプリント配線板に表面実装された前記ベースハウジングの後壁面より後方へ長く延び、該延長部により前記ベースハウジングの後壁面から突出するピンコンタクトのリード部の側方を保護するように構成されていると、前記ピンコンタクトのリード部とプリント配線板上の周辺機器との沿面距離が大きくなり耐高電圧性を高めることができる。このとき、前記ロックアームが、前記ベースハウジングの高さと略等しい高さを有し、前記延長部まで延びていることが好ましい。
【０００７】
また、前記ロックアームの後端部分が前記ソケットハウジングの後壁面より後方へ延び、該延長部分に形成された前記押圧操作部により前記電線の側方を保護するように構成されていると、前記ソケットコネクタに接続した電線が周辺機器から保護されると共に、前記押圧操作部が長くなるので、前記ロックアームの開閉操作が容易になる。
【０００８】
【発明の実施の形態】
以下、本発明の好適な実施の形態を図面に基づいて説明する。
【０００９】
図１は、本発明に係るソケットコネクタ１を示す斜視図、図２は、プリント配線板２０に表面実装したベースコネクタ２１とソケットコネクタ１の嵌合接続状態を示す平面図、図３は、図２の３−３線に沿う断面図である。
【００１０】
図１において、ソケットコネクタ１のソケットハウジング２は輪郭形状が扁平で横長の直方体に形成され、複数の電線１１の端部に接続したソケットコンタクト１２（図３参照）が個別的に収容される角筒状のコンタクト収容室３が所定のピッチに並列して配設されている。該ソケットハウジング２の両側面４，４には弾性変形が可能な支持片５，５を介して一対のロックアーム６，６が一体に設けられている。該ロックアーム６はソケットハウジング２の後壁面９の端縁から側面４に沿って延び、ソケットハウジング２の前壁面１０より前方へ長く延びており、その先端部分に内向きに突出するフック７が突設されている。支持片５，５は側面４の後壁面９寄りに設けられ、ロックアーム６の支持片５より後方の後端部分に押圧操作部８が形成されている。また、各支持片５は、ロックアーム６の開閉時に局部応力がかからず負荷を均一化して弾性変形できるように、ロックアーム６の先端側に面する側面５ａがテーパ面とこれに連続するＲ面に形成されている。なお、該側面５ａはＲ面だけで形成されていてもよい。
【００１１】
プリント配線板２０上に表面実装されるベースコネクタ２１のベースハウジング２２は、図２及び図３に示すように、前面側が開口した扁平な箱形状に形成され、その後壁２３を貫通してインサート成形された複数のピンコンタクト３０のリード部３１が後壁面から後方へ突出し、下方へ向けＬ字型に屈曲してプリント配線板２０とはんだ付けされる。また、ベースハウジング２２の両側面２５，２５の前端部近傍に埋設した補強金具２６，２６もプリント配線板２０にはんだ付けされる。一方、ベースハウジング２２には両側面２５，２５ａ後端に沿って延びる一対の突出片２７，２７が一体に設けられている。
【００１２】
図２及び図３に示すように、複数の各電線１１の端部に接続したソケットコンタクト１２が各収容室３に収容されているソケットコネクタ１をプリント配線板２０に表面実装されたベースコネクタ２１に嵌合接続するには、ソケットコネクタ１の両ロックアーム６，６の押圧操作部８，８を手指で摘んで両ロックアーム６，６の先端側を若干開いた状態にし、ベースハウジング２２の両側面２５，２５に沿って案内係合しながら、ソケットハウジング２をベースハウジング２２の開口部に嵌挿させると、対応するソケットコンタクト１２とピンコンタクト３０が嵌合して電気的に接続されると共に、両ロックアーム６，６のフック７，７がベースハウジング２２の突出片２７，２７に係止して、両ロックアーム６，６によりベースハウジング２２を挟み付けるようにして両コネクタ１，２１が確実にロックされる。
【００１３】
次に、ソケットコネクタ１をベースコネクタ２１から抜去するには、両ロックアーム６，６の押圧操作部８，８を手指で摘んで両ロックアーム６，６のフック７，７を突出片２７，２７から離脱させてロック解除した後、両ロックアーム６，６をベースハウジング２２の両側面２５，２５に沿って、後方へ案内移動させると、ソケットハウジング２をベースハウジング２２からスムーズに抜き出すことができる。
【００１４】
なお、ベースハウジング２２の突出片２７，２７は必ずしも設ける必要はなく、ベースハウジング２２の後端縁に両ロックアーム６，６のフック７，７を直接係止させるようにしてもよい。
【００１５】
図４は、本発明のロック装置を高電圧用コネクタに適用した場合における好適な実施形態を示しており、嵌合接続時に、両ロックアーム６，６の先端部分がベースハウジング２２の後壁面より長く延び、かつ該延長部２８を含むロックアーム６をベースハウジング２２の高さと略等しい高さに形成して、、ピンコンタクト３０のリード部３１の側方を保護するようにしたものである。このような構成にすると、リード部３１をプリント配線板２０上の周辺機器との沿面距離を増大して耐高電圧性を向上させることができる。
【００１６】
図５は、本発明に係るソケットコネクタ１の別の実施形態を示しており、両ロックアーム６，６の後端をソケットハウジング２の後壁面９より長く延ばし、該延長部を押圧操作部８，８に形成した例である。このような構成にすると、両ロックアーム６，６の手指による開閉操作が容易になると共に、ソケットコネクタ１に接続した電線１１を保護することが可能になる。
【００１７】
【発明の効果】
以上説明したように、本発明によれば、ソケットコネクタとベースコネクタとの嵌合接続時に、前記ソケットハウジングの両側面に沿って設けた一対の長いロックアームがプリント配線板に表面実装された前記ベースハウジングの両側面に沿って案内係合しながら、前記ソケットコネクタと前記ベースコネクタとが嵌合接続するので、両コネクタは極めてスムーズに嵌合し、こじり嵌合を効果的に防止でき、嵌合操作性がすぐれている。しかも、両ロックアームでベースハウジングの両側面を挟み付けるようにしてロックされるので、確実なロックが可能である。
【００１８】
また、前記両ロックアームのフックを前記ベースハウジングの後端縁に係止してロックさせるので、前記ベースハウジングの両側面に前記フックの係止突部を設ける必要がなく、したがってこのような係止突部を設けていない既存のベースコネクタをそのまま使用でき、ロック装置全体の低コスト化が図れる。
【００１９】
請求項２及び３に係る発明によれば、前記ベースハウジングの後壁面から突出するピンコンタクトのリード部とプリント配線板上の周辺機器との沿面距離が大きくなり耐高電圧性を高めることができる。
【００２０】
さらに、請求項４に係る発明によれば、両ロックアームの手指による開閉操作が容易になると共に、前記ソケットコネクタに接続した電線を周辺機器から保護することができる。
【図面の簡単な説明】
【図１】  本発明に係るソケットコネクタの斜視図である。
【図２】  本発明のロック装置によるソケットコネクタとベースコネクタとの嵌合接続状態を示す平面図である。
【図３】  図２の３−３線に沿う断面図である。
【図４】  本発明による別の実施形態を示す図３と類似の断面図である。
【図５】  本発明に係るソケットコネクタの別の実施形態を示す斜視図である。
【符号の説明】
１  ソケットコネクタ
２  ソケッハウジング
３  コンタクト収容室
４  側面
５  支持片
６  ロックアーム
７  フック
８  押圧操作部
９    後壁面
１０  前壁面
１１  電線
１２  ソケットコンタクト
２０  プリント配線板
２１  ベースコネクタ
２２  ベースハウジング
２３  後壁
２４  後壁面
２５  側面
２７  突出片
３０  ピンコンタクト
３１  リード部
【図１】
0004009111.tif 000002
【図２】
0004009111.tif 000003
【図３】
0004009111.tif 000004
【図４】
0004009111.tif 000005
【図５】
0004009111.tif 000006